(57)【特許請求の範囲】
【請求項１】
基礎立ち上がりを補強する基礎補強構造であって、
一方向に伸びる補強部を有し該補強部を水平方向に延設させた状態で前記基礎立ち上がりの側壁面に沿って貼り付けられるラス網と、
前記ラス網を引っかけて支持するための引っかけ部を有し前記基礎立ち上がりの側壁面に固定されるランナと、
前記ラス網と共に前記ランナに支持されて、前記ラス網における前記補強部として機能する鉄筋と、
前記ラス網上に塗り付けられるモルタルとを備え、
このモルタルによる壁部によって前記基礎立ち上がり側壁面を補強するように構成されていることを特徴とする基礎補強構造。
【請求項２】
請求項１記載の基礎補強構造において、
前記ラス網は、前記鉄筋に被さった状態となっていることを特徴とする基礎補強構造。
【請求項３】
請求項１または請求項２記載の基礎補強構造において、
前記ラス網は、前記補強部として機能するリブを備え、当該リブが前記引っかけ部に引っかけられていることを特徴とする基礎補強構造。
【請求項４】
請求項３記載の基礎補強構造において、
前記ランナは前記引っかけ部を複数有し、前記ラス網は前記リブを複数備えることを特徴とする基礎補強構造。
【請求項５】
請求項３または請求項４記載の基礎補強構造において、
前記鉄筋と前記リブが上下方向に隣り合っていることを特徴とする基礎補強構造。
【請求項６】
請求項１ないし請求項５のいずれか１項に記載の基礎補強構造において、
前記ランナは上下方向に長尺に形成され、その長さ方向に間隔をあけた複数の箇所が前記基礎立ち上がりの側壁面に対して固定具を介して固定されていることを特徴とする基礎補強構造。
【請求項７】
請求項１ないし請求項６のいずれか１項に記載の基礎補強構造において、
前記基礎立ち上がりの前記側壁面に前記ランナと前記鉄筋と前記ラス網が密接して設けられ、これらを埋め込むようにして前記モルタルによる壁部が前記側壁面に密着して形成されていることを特徴とする基礎補強構造。
【発明の詳細な説明】
【技術分野】
【０００１】
本発明は、住宅等の建物において、例えば布基礎、べた基礎等の基礎を補強する基礎補強構造に関する。
【背景技術】
【０００２】
近年、アラミド繊維シート等といった帯状の高強度繊維シートを木造建造物、鉄筋コンクリート構造物等に用いることにより耐震補強工法が注目を集めている。
【０００３】
例えば特許文献１には、住宅などの建物の基礎を補強するにあたって、布基礎等の基礎の外側面等にアラミド繊維等による帯状の高強度繊維シートを接着して貼り付けるようにした構造等が記載されている。
【先行技術文献】
【特許文献】
【０００４】
【特許文献１】特開２００８−１２１２３６号公報
【発明の概要】
【発明が解決しようとする課題】
【０００５】
しかし、上述した特許文献１による補強構造では、高強度繊維シートという素材として価格が高い材料を用いているから、耐震補強のための費用が嵩むという問題があった。
【０００６】
また、上述した高強度繊維シートによれば、該シートを基礎立ち上がりの外側面に均一に貼り付けるために、施工時における作業性が面倒かつ煩雑である等の問題もあった。
【０００７】
本発明はこのような事情に鑑みてなされたものであり、既設の布基礎等における基礎立ち上がりの耐震補強を、一般的な素材や一般的な作業により簡単かつ安価に行えるようにする基礎補強構造を得ることを目的とする。
【課題を解決するための手段】
【０００８】
このような目的に応えるために本発明（請求項１記載の発明）に係る基礎補強構造は、基礎立ち上がりを補強する基礎補強構造であって、一方向に延びる補強部を有し該補強部を水平方向に延設させた状態で前記基礎立ち上がりの側壁面に沿って貼り付けられるラス網と、前記ラス網を引っかけて支持するための引っかけ部を有し前記基礎立ち上がりの側壁面に固定されるランナと、前記ラス網と共に前記ランナに支持されて、前記ラス網における前記補強部として機能する鉄筋と、前記ラス網上に塗り付けられるモルタルとを備え、このモルタルによる壁部によって前記基礎立ち上がり側壁面を補強するように構成されていることを特徴とする。
【０００９】
本発明（請求項２記載の発明）に係る基礎補強構造は、請求項１において、前記ラス網は、前記鉄筋に被さった状態となっていることを特徴とする。
【００１０】
本発明（請求項３記載の発明）に係る基礎補強構造は、請求項１または請求項２において、前記ラス網は、前記補強部として機能するリブを備え、当該リブが前記引っかけ部に引っかけられていることを特徴とする。
【００１１】
本発明（請求項４記載の発明）に係る基礎補強構造は、請求項３において、前記ランナは前記引っかけ部を複数有し、前記ラス網は前記リブを複数備えることを特徴とする。
【００１２】
本発明（請求項５記載の発明）に係る基礎補強構造は、請求項３または請求項４において、前記鉄筋と前記リブが上下方向に隣り合っていることを特徴とする。
【００１３】
本発明（請求項６記載の発明）に係る基礎補強構造は、請求項１ないし請求項５のいずれか１項において、前記ラス網は補強部としてリブおよび鉄筋を備えていることを特徴とする。
【００１４】
本発明（請求項７記載の発明）に係る基礎補強構造は、請求項１ないし請求項６のいずれか１項において、前記基礎立ち上がりの前記側壁面に前記ランナと前記鉄筋と前記ラス網が密接して設けられ、これらを埋め込むようにして前記モルタルによる壁部が前記側壁面に密着して形成されていることを特徴とする。
【発明の効果】
【００１５】
以上説明したように本発明に係る基礎補強構造によれば、一方向に延びる補強部を有し該補強部を水平方向に延設させた状態で基礎立ち上がりの側壁面に沿って貼り付けられるラス網と、このラス網上に塗り付けられるモルタルによる壁部とを用いて、基礎立ち上がりの側壁面を補強するようにしたので、簡単な構成であるにもかかわらず、素材として一般的なものでよく、コストを安価に抑えることができるとともに、施工としても一般的なものであり、簡単に作業でき、施工性の面で優れ、しかも基礎立ち上がりの耐震性を向上させることができる等の種々優れた効果を奏する。
【図面の簡単な説明】
【００１６】
【図１】本発明に係る基礎補強構造の一実施例を示し、要部構成を説明するための概略斜視図である。
【図２】図１の基礎補強構造を示す概略断面図である。
【図３】本発明に係る基礎補強構造の変形例を示す概略断面図である。
【図４】本発明に係る基礎補強構造の別の実施例を示す概略斜視図である。
【図５】図４の基礎補強構造を示す概略断面図である。
【図６】本発明に係る基礎補強構造の他の実施例を示す概略斜視図である。
【図７】図６の基礎補強構造を示す概略断面図である。
【発明を実施するための形態】
【００１７】
補強すべき基礎立ち上がりの側壁面に、一方向に延びる補強部を有するラス網を、該補強部を水平方向に延設させた状態で貼り付けるとともに、このラス網を埋設する状態でモルタルを塗り付けることにより、基礎立ち上がりの側壁面を耐震補強する。
【実施例１】
【００１８】
図１および図２は本発明に係る基礎補強構造の一実施例を示す。
これらの図において、符号１は布基礎で、この布基礎１は、基部と立ち上がり１ａとによって逆Ｔ字状を呈して形成されている。なお、この布基礎１やその上部に構築される建物は従来から周知の構造をもつものであり、ここでの具体的な構造は省略する。
【００１９】
本発明は上述した構成による布基礎１の立ち上がり１ａを耐震補強するにあたって、一方向に延びる補強部としての複数のリブ状部分１１を有し該リブ状部分１１を水平方向に延設させた状態で前記基礎立ち上がり１ａの側壁面に沿って貼り付けられるラス網１０と、このラス網１０上に塗り付けられるモルタルによる壁部２０とを用いている。すなわち、本発明によれば、従来から一般的に用いられている素材としてのラス網１０やモルタルを用い、このモルタルによる壁部２０によって基礎立ち上がり１ａの側壁面を補強するように構成したところを特徴としている。
【００２０】
ここで、前記ラス網１０は多数の切れ目を設けた鋼板（鋼帯）を引伸して網目を形成する従来から周知の構造をもつものである。この実施例では、鋼板（鋼帯）の一方向に延びかつ一定の間隔をおいて形成された複数の帯状部分（リブ状部分１１となる部分）には切れ目を設けず、その他の部分には切れ目を設けた後に、上記リブ状部分１１の方向と直交する方向に引伸して網目状の部材を形成したものである。また、上述したように切れ目を設けずに形成した複数の帯状部分は、その幅方向において略Ｕ字状に呈するように折り曲げ形成することにより、リブ状部分１１として形成されている。
【００２１】
そして、上述したラス網１０は、そのリブ状部分１１の長手方向を水平方向に沿わせた状態で、鉄筋釘１２で前記基礎立ち上がり１の側壁面に組付け固定されている。その後、該ラス網１０を埋設するようにしてモルタルを基礎立ち上がり１ａの側壁面に塗り付けることにより該モルタルによる壁部２０を、基礎立ち上がり側壁面に重ね合わせて形成する。
【００２２】
このような構成によれば、ラス網１０のリブ状部分１１を基礎立ち上がり１ａの方向に突出させた状態で、このリブ状部分１１を、基礎立ち上がり１ａの側壁面上で水平方向に沿って配置し、これを埋設した状態でモルタルによる壁部２０を該側壁面に一体化させて設けることにより、基礎立ち上がり１ａの強度を確保し、所要の耐震性を確保することができる。しかも、このような構成では、素材として一般的なものでよく、コストを安価に抑えることができるとともに、施工としても一般的なものであり、簡単に作業でき、施工性の面で優れており、基礎立ち上がりの耐震性を簡単かつ安価に向上させることができる。
【００２３】
ここで、この実施例では、一方向に延びた補強部（リブ状部分１１）を有するラス網１０を用いた場合を説明したが、本発明はこれに限定されず、たとえば図３に示すように、リブ状部分のような補強部がないラス網１０Ａを用い、鉄筋４０を補強部としてラス網１０Ａの上側および下側部分に沿わせた状態で付設し、これらを一体的にモルタル内に埋設することで、壁部２０を形成するように構成してもよい。
【００２４】
この場合、ラス網１０Ａや鉄筋４０を、基礎立ち上がり１ａの側壁部に沿って貼り付け保持させるために、ラス網１０Ａの複数個所を引っかけて支持するための引っかけ部３１を有し前記基礎立ち上がり１ａの側壁面に鉄筋釘３２で組み付け固定されるランナ３０を用いている。
【００２５】
すなわち、このランナ３０を基礎立ち上がり１ａの側壁面に固定し、その複数の引っかけ部３１に前記ラス網１０Ａを引っかけ支持する。このとき、鉄筋４０も水平方向に延設させた状態で、該ラス網１０Ａと共にランナ３０に引っかけ部３１に引っかけ支持する。
【００２６】
そして、この状態でラス網１０Ａと補強部としての鉄筋４０とを埋め込むようにしてモルタルを塗り付け、壁部２０を形成し、これにより基礎立ち上がり１ａの側壁面を耐震補強することができる。
【００２７】
なお、上述した図１ないし図３の斜視図や断面図では、構造を解り易くするために、基礎立ち上がり１ａの側壁部と、ラス網１０、さらにランナ３０、鉄筋４０、モルタルによる壁部２０が離れているように見える部分もあるが、実際には、基礎立ち上がり１ａの側壁部にラス網１０、さらにランナ３０、鉄筋４０が密接して設けられ、これらを埋め込むようにしてモルタルによる壁部２０が、側壁面１ａに密着して形成されることは勿論である。また、壁部２０を形成するモルタルの厚さは、ラス網１０、ランナ３０、鉄筋４０に対して所定のかぶり厚が確保できるように設定されている。
【００２８】
図４および図５は本発明に係る基礎補強構造の他の実施例を示す。
この実施例では、補強部として複数のリブ状部分１１を有するラス網１０を、基礎立ち上がり１ａの側壁面に固定したランナ３０の引っかけ部３１にリブ状部分１１を引っかけることで貼り付けし、モルタルを塗りつけることで壁部２０を形成している。
このようにしても、上述した実施例と同等の作用効果を得ることができる。
【００２９】
図６および図７は本発明に係る基礎補強構造のさらに別の実施例を示す。
この実施例では、リブ状部分１１を有するラス網１０を用いるとともに、これに加えて補強部としての鉄筋４０を並設し、これらをランナ３０の引っかけ部３１により引っかけ支持することにより、ラス網１０を基礎立ち上がり１ａの側壁面に貼り付けるようにしている。そして、モルタルを塗りつけて壁部２０を形成することで、基礎立ち上がり１ａを補強することができる。
【００３０】
ここで、この実施例でも、鉄筋４０は、ラス網１０の上側部分、下側部分に沿うように設けられている。勿論、この鉄筋４０の本数はこれに限定されず、基礎立ち上がり１ａの補強すべき大きさなどに応じて適宜設定されることは言うまでもない。
【００３１】
なお、本発明は上述した実施例で説明した構造には限定されず、ラス網１０やその補強部としてのリブ状部分１１、補強部としての鉄筋４０等を初めとする各部の形状、構造、配設状態等を適宜変形、変更し得ることはいうまでもない。
【００３２】
また、上述した実施例では、基礎として布基礎を例示したが、本発明はこれに限定されず、例えばべた基礎等であっても適用し得ることは容易に理解される。
【符号の説明】
【００３３】
１    布基礎（基礎）
１ａ  基礎立ち上がり
１０    ラス網
１０Ａ  ラス網
１１    リブ状部分（補強部）
１２    鉄筋釘（鋲）
２０    モルタルによる壁部
３０    ランナ
３１    引っかけ部
３２    鉄筋釘(鋲）
４０    鉄筋（補強部）
【図１】
0005965204.tif 000002
【図２】
0005965204.tif 000003
【図３】
0005965204.tif 000004
【図４】
0005965204.tif 000005
【図５】
0005965204.tif 000006
【図６】
0005965204.tif 000007
【図７】
0005965204.tif 000008